(57)【特許請求の範囲】
【請求項１】
所定の大きさの断熱材と、この断熱材の表面に形成したパイプ溝と、このパイプ溝にはめ込んだパイプとを備えた床暖房用パネル又は暖房畳用パネルにおいて、パイプ溝の形状にあわせてパイプを整列させる整列部材と、断熱材の表面に整列部材の形状にあわせて形成した収容凹部とを備え、整列部材によって整列させたパイプを上記パイプ溝にはめ込んだとき、同時に整列部材が収容凹部に収容される構成にしたことを特徴とする床暖房用パネル又は暖房畳用パネル。
【請求項２】
整列部材は、所定の間隔でパイプ支持凹部を形成した棒材からなり、パイプをパイプ支持凹部にはめ込んで、直線上に整列させたことを特徴とする請求項１記載の床暖房用パネル又は暖房畳用パネル。
【請求項３】
整列部材は、所定の間隔でパイプ支持凹部を形成するとともに、これらパイプ支持凹部間に円弧状のガイドを設けてなる一対の棒材からなり、これら一対の棒材間で、円弧状のガイドを外側に向け、パイプをパイプ支持凹部にはめ込むとともに、これら円弧状のガイドに沿わせてＵターンさせて整列させたことを特徴とする請求項１記載の床暖房用パネル又は暖房畳用パネル。
【発明の詳細な説明】
【０００１】
【発明の属する技術分野】
この発明は、パイプに暖流体を流して暖房をおこなう床暖房用パネル又は暖房畳用パネルに関する。
【０００２】
【従来の技術】
例えば、図７に示す従来の床暖房用パネルでは、所定の大きさの断熱材１の表面に、蛇行させたパイプ溝２を形成している。そして、このパイプ溝２に沿って可撓性を有するパイプＰを順送りにはめ込み、床暖房用パネルを構成する。
このようにした床暖房用パネルを部屋に敷設し、図示しないフローリングなどの仕上げ材を設ける。そして、パイプＰに暖流体を流す構成にして、床暖房装置の施工が完了する。
【０００３】
【発明が解決しようとする課題】
しかし、上記従来例では、パイプＰを、蛇行させたパイプ溝２に沿って順送りにはめ込まなければならないので、その敷設に時間がかかってしまう。特に、パイプＰをたくさん蛇行させれば、それだけ時間もかかってしまう。
また、供給用パイプ及び戻り用パイプといったように複数のパイプを敷設するような場合には、その敷設がさらに面倒なものとなってしまう。
この発明は、あらかじめパイプを整列させておくとともに、このパイプを一度にパイプ溝にはめ込むことのできる床暖房用パネル又は暖房畳用パネルを提供することである。
【０００４】
【課題を解決するための手段】
この発明は、所定の大きさの断熱材と、この断熱材の表面に形成したパイプ溝と、このパイプ溝にはめ込んだパイプとを備えた床暖房用パネル又は暖房畳用パネルを前提とする。
そして、第１の発明は、パイプ溝の形状にあわせてパイプを整列させる整列部材と、断熱材の表面に整列部材の形状にあわせて形成した収容凹部とを備え、整列部材によって整列させたパイプを上記パイプ溝にはめ込んだとき、同時に整列部材が収容凹部に収容される構成にした点に特徴を有する。
【０００５】
第２の発明は、第１の発明において、整列部材は、所定の間隔でパイプ支持凹部を形成してなる棒材からなり、パイプをパイプ支持凹部にはめ込んで、直線上に整列させた点に特徴を有する。
第３の発明は、第１の発明において、整列部材は、所定の間隔でパイプ支持凹部を形成するとともに、これらパイプ支持凹部間に円弧状のガイドを設けてなる一対の棒材からなり、これら一対の棒材間で、円弧状のガイドを外側に向け、パイプをパイプ支持凹部にはめ込むとともに、これら円弧状のガイドに沿わせてＵターンさせて整列させた点に特徴を有する。
【０００６】
【発明の実施の形態】
図１、２に示す第１実施例では、所定の大きさの断熱材１の表面に、蛇行させたパイプ溝２を形成している。
さらに、この断熱材１の表面には、パイプ溝２の直線部分２ａに直交させて、収容凹部として収容溝３を形成している。
また、図２に示すように、樹脂などからなる棒材４には、パイプ支持凹部５を形成するとともに、これらパイプ支持凹部５を、パイプ溝２の直線部分２ａ間の幅と同じ間隔で配置している。
なお、これらパイプ支持部５を形成した棒材４によって、直線用整列部材を構成しているものとする。
図１に示すように、棒材４を、収容溝３間の距離と同じ間隔で平行に並べる。そして、パイプＰをパイプ支持凹部５にはめ込んで、直線上に整列させる。このとき、パイプＰを、パイプ溝２のＵターン部分２ｂにあわせるよう蛇行させている。
【０００７】
なお、棒材４の数は、パイプＰの直線部分の長さに応じて決めればよい。例えば、この棒材４を、パイプＰの直線方向に一定の間隔をあけて配置するなどすればよい。
以上述べたようにしてパイプＰを整列させたら、パイプＰを、パイプ溝２のＵターン部分２ｂに沿わせながら、このパイプＰ全体をパイプ溝２にはめ込む。
このとき、パイプＰを整列させている棒材４が、上記収容溝３にぴったりと収容されることになる。
このようにした床暖房用パネルを敷設し、図示しないフローリングなどの仕上げ材を設ける。そして、パイプＰに暖流体を流す構成にして、床暖房装置の施工が完了する。
【０００８】
図３、４に示す第２実施例では、所定の大きさの断熱材１の表面に、蛇行させたパイプ溝２を形成している。
さらに、この断熱材１の表面には、パイプ溝２の直線部分２ａとＵターン部分２ｂとが交わる箇所に、その直線部分２ａに直交させて、一対の収容溝３を形成している。
また、この収容溝３を形成すると、この収容溝３とパイプ溝２のＵターン部分２ｂとに囲まれてガイド部６（図１（ｂ）参照）が形成されるが、ここでは、これらガイド部６を削りとった状態にしている。
そして、ここでは、上記収容溝３と、ガイド部６を削りとった部分とが相まって、収容凹部を構成するものとする。
【０００９】
また、図４に示すように、樹脂などからなる棒材４には、パイプ支持凹部５を形成するとともに、これらパイプ支持凹部５を、パイプ溝２の直線部分２ａ間の幅と同じ間隔で配置している。
さらに、この棒材４には、その隣り合うパイプ支持凹部５間に、円弧状のガイド７を一体に形成している。これら円弧状のガイド７は、上記削りとったガイド部６と同じような形状をして、パイプ支持凹部５間に一つずつ間隔をあけて配置している。
ただし、これら円弧状のガイド７を、一つずつ間隔をあけて配置するのが理想的であるが、すべてのパイプ支持凹部５間に設けておいてもかまわない。この場合は、もちろん収容凹部の形状もそれにあわせて決めておく必要がある。
なお、これらパイプ支持凹部５とガイド７とを備えた棒材４によって、Ｕターン用整列部材を構成しているものとする。
【００１０】
図３に示すように、一対の棒材４を、収容溝３間の距離と同じ間隔で平行に並べ、かつ、円弧状のガイド７をそれぞれ外側に向かせている。
このとき、一対の棒材４間で、円弧状のガイド７の位相を互いにずらして配置している。ただし、前述のように、円弧状のガイド７をすべてのパイプ支持凹部５間に配置した場合は、位相をずらす必要はなくなる。
そして、パイプＰをパイプ支持凹部５にはめ込んで、直線上に整列させるとともに、パイプＰを円弧状のガイド７に沿わせて、Ｕターンさせている。
以上述べたようにしてパイプＰを整列させたら、このパイプＰをパイプ溝２にはめ込む。このとき、棒材４及び円弧状のガイド７は、それぞれ上記収容溝３及びガイド部６を削りとった部分にぴったりと収容されることになる。
このようにした床暖房用パネルを敷設し、図示しないフローリングなどの仕上げ材を設ける。そして、パイプＰに暖流体を流す構成にして、床暖房装置の施工が完了する。
もちろん、これら第１、２実施例で説明した直線用整列部材とＵターン用整列部材とを併用しかもかまわない。
【００１１】
図５に示す第３実施例は、パイプＰの構成を変更した例である。
つまり、パイプＰを、一対のメインパイプ８ａ、８ｂと、これらメインパイプ８ａ、８ｂに連通させた複数の放熱パイプ９とから構成している。そして、いずれか一方のメインパイプ８ａあるいは８ｂに暖流体が供給されると、この暖流体が、放熱パイプ９を同時に通過して、他方のメインパイプ８ｂあるいは８ａに還流する構成にしている。
また、断熱材１の表面には、これらメインパイプ８ａ、８ｂと放熱パイプ９とにあわせて、パイプ溝１０を形成している。
【００１２】
さらに、この断熱材１の表面には、パイプ溝１０のうち、放熱パイプ９をはめ込むための直線部分１０ａに直交させて、収容凹部として収容溝３を形成している。
そして、複数の放熱パイプ９を、第１実施例で説明したものと同様な直線用整列部材によって直線上に整列させてから、これらメインパイプ８ａ、８ｂと放熱パイプ９とをパイプ溝１０にはめ込む。このとき、第１、２実施例と同様に、棒材４は、上記収容溝３にぴったりと収容されることになる。
【００１３】
以上述べた第１〜３実施例によれば、あらかじめ整列させておいたパイプＰを、一度にパイプ溝２にはめ込むことができるので、パイプＰの敷設を簡単にすることができる。しかも、パイプＰを整列部材によって整列させているので、その保形性、強度性を高めることができる。
そして、パイプＰを整列させた整列部材は、断熱材１の収容凹部に収容されるので、邪魔になることはない。
【００１４】
【発明の効果】
なお、これら第１〜３実施例は一例であり、例えば、整列部材の形状は、どのようなものであってもよい。
例えば、図６に示すように、整列部材を棒材ではなく、楕円形状の板材１１としてもかまわない。この場合、図示しないが、断熱材１の表面にも、同じく楕円形状の収容凹部を形成している。
そして、このように楕円形状とすれば、この板材１１を収容凹部に収容したとき、いずれの方向にもずれることはない。
また、例えば、供給用パイプ又は戻り用パイプといったように複数のパイプを敷設するような場合であっても、それにあわせて、整列部材のパイプ支持凹部５を形成したりすればよい。
さらに、上記第１〜３実施例では、床暖房用パネルについて説明したが、もちろんパイプＰを有する暖房畳用パネルに用いてもかまわない。
【００１５】
【発明の効果】
第１の発明によれば、あらかじめ整列させておいたパイプを、一度にパイプ溝にはめ込むことができるので、パイプの敷設を時間をかけず簡単にすることができる。しかも、パイプを整列部材によって整列させているので、その保形性、強度性を高めることができる。
そして、パイプを整列させた整列部材は、断熱材の収容凹部に収容されるので、邪魔になることはない。
第２の発明によれば、第１の発明において、パイプを直線上に並べて整列させることができる。
第３の発明によれば、第１の発明において、パイプを直線上に並べるだけでなく、さらにＵターンさせて整列させることができる。
【図面の簡単な説明】
【図１】第１実施例の床暖房用パネルを示す図で、（ａ）は整列部材によって整列させたパイプＰ、（ｂ）はパイプ溝２を形成した断熱材１を示している。
【図２】直線用整列部材を示す図である。
【図３】第２実施例の床暖房用パネルを示す図で、（ａ）は整列部材によって整列させたパイプＰ、（ｂ）はパイプ溝２を形成した断熱材１を示している。
【図４】Ｕターン用整列部材を示す図である。
【図５】第３実施例の床暖房用パネルを示す図で、（ａ）は整列部材によって整列させたパイプＰ、（ｂ）はパイプ溝１０を形成した断熱材１を示している。
【図６】整列部材のその他の形状を示す図である。
【図７】従来例の床暖房用パネルを示す図である。
【符号の説明】
１            断熱材
２            パイプ溝
２ａ          直線部分
２ｂ          Ｕターン部分
３            収容溝
４            棒材
５            パイプ支持凹部
６            ガイド部
７            ガイド
８ａ、８ｂ    メインパイプ
９            放熱パイプ
１０          パイプ溝
１１          楕円形状の板材
【図１】
0003601638.tif 000002
【図２】
0003601638.tif 000003
【図４】
0003601638.tif 000004
【図３】
0003601638.tif 000005
【図５】
0003601638.tif 000006
【図６】
0003601638.tif 000007
【図７】
0003601638.tif 000008